(57)【要約】【課題】従来の施工方法を変更せず、且つ鉄筋と型枠に設けた金具取付穴の位置関係に影響を受けずに取付けることが可能な鉄筋との電気的接続が可能な金具を提供する。【解決手段】建物基礎内の鉄筋に電気的に接続する金具であって、この金具は鉄筋を保持する保持部を設けた電気接続部と、電気接続部と固定構造によって固定されると共に鉄筋に対する引掛部を設けた本体部と、本体部に固定されると共に内部に固定部を設けた筐体部とからなり、筐体部と本体部とを接続し、鉄筋を保持した電気接続部と本体部とを固定構造によって固定することにより、鉄筋との電気的な接続を可能とした。【選択図】図３
2010236257.tif 000002
【特許請求の範囲】
【請求項１】
建物基礎内の鉄筋に電気的に接続する金具であって、該金具は前記鉄筋を保持する保持部を設けた電気接続部と、該電気接続部と固定構造によって固定されると共に前記鉄筋に対する引掛部を設けた本体部と、該本体部に固定されると共に内部に固定部を設けた筐体部とからなり、該筐体部と前記本体部とを接続し、前記鉄筋を保持した前記電気接続部と前記本体部とを前記固定構造によって固定することにより、前記鉄筋との電気的な接続を可能としたことを特徴とする電気的接続が可能な金具。
【請求項２】
前記保持部において、本体部に対して摺動可能に設けたことを特徴とする請求項１に記載の電気的接続が可能な金具。
【発明の詳細な説明】
【技術分野】
【０００１】
本発明は、建物基礎内の鉄筋に電気的に接続し、且つ上下左右の位置を自在に決めることのできる金具に関するものである。
【背景技術】
【０００２】
従来、建物基礎施工方法は底盤部に鉄筋を組み上げ、そこに型枠を設けてコンクリートを打設し、コンクリートの硬化後に型枠を外して完成となる。この施工方法において鉄筋に電気的に接続し、且つ上下左右の位置を自由に決めて設置できる金具には特許文献１に記載されているような、コンクリ−ト埋設物をコンクリ−ト型枠内面に押圧して固定するため、手による折り曲げが可能でかつ折り曲げられた状態で埋設物を型枠内面に押圧できる突張強度を有し、埋設物に取付けられると共に型枠内に配筋された鉄筋にバインド線などの線材で結束固定されるバー材であって、前記線材を係止する周溝が外面に形成されてなるコンクリ−ト埋設物の固定用バー材を電気の導通が可能な素材によって構成したものを用いることが考えられる。
【０００３】
しかし、上記の発明では手による折り曲げが可能なバー材を使っているため型枠に設けた金具取付穴の位置に合わせる際に必要となる時間が増える恐れがあり、又、鉄筋の組み上げを基礎形状の都合から手組みで行う必要があることから、型枠に設けた金具取付穴と金具を接続して固定するボルト等の取り付けが困難になる可能性があるという欠点がある。又、一時的に型枠を準備して金具取付穴の位置を確認し、型枠を外して保持具を取付けた後、再び型枠を準備して通常の施工を行うことも考えられるが、施工工程が増えるため作業効率が低下する恐れがあるという欠点がある。
【０００４】
この改善策として、特許文献２に記載されているような、既設の構造体に取り付けられる取付部と、取付部から延設されてボックスを支持するための支持部とを有する固定具本体と、支持部の前面側にスライド可能に取り付けられてボックスを保持する保持部材とを備え、保持部材は、ボックスを保持した状態で支持部に対してスライド可能であって、ボックスの前面開口からその底壁に形成された取付孔を貫通させた固定部材を支持部に固定することによって、ボックスを支持部に固定するものを利用することによって、建物の壁面内に収容されるボックスの位置を固定し、コンクリートを打設した際でもボックスの位置がずれる恐れを少なくすることが考えられ、特許文献１と同様に電気の導通が可能な素材によって構成することにより、電気的な接続を図るものを用いることが考えられる。
【先行技術文献】
【特許文献】
【０００５】
【特許文献１】実開平０６−００６６０３号公報
【特許文献２】特開２００６−３４５６１３号公報
【発明の概要】
【発明が解決しようとする課題】
【０００６】
しかしながら、特許文献２に記載の発明では、型枠の準備前に鉄筋に保持具を取り付ける必要があるが、鉄筋の組み上げを基礎形状の都合から手組みで行う必要があり、鉄筋の位置関係が一定となる事は少なく、型枠に設けた金具取付穴と金具を接続して固定するボルト等の取り付けが困難になる可能性があるという欠点がある。又、一時的に型枠を準備して金具取付穴の位置を確認し、型枠を外して保持具を取付けた後、再び型枠を準備して通常の施工を行うことも考えられるが、施工工程が増えるため作業効率が低下する恐れがあるという欠点がある。
【課題を解決するための手段】
【０００７】
上記した課題を解決するためになされた本発明の電気的接続が可能な金具は、建物基礎内の鉄筋に電気的に接続する金具であって、この金具は鉄筋を保持する保持部を設けた電気接続部と、電気接続部と固定構造によって固定されると共に鉄筋に対する引掛部を設けた本体部と、本体部に固定されると共に内部に固定部を設けた筐体部とからなり、筐体部と本体部とを接続し、鉄筋を保持した電気接続部と本体部とを固定構造によって固定することにより、鉄筋との電気的な接続を可能とした。
【発明の効果】
【０００８】
本発明の電気的接続が可能な金具によれば、本体部に固定された筐体部と型枠に設けられる金具取付穴との固定が完了してから電気接続部を本体部に取付けて鉄筋に対して電気的接続を行うため、鉄筋と型枠に設けた金具取付穴の位置関係に影響を受けずに取付けることが可能となる。
【０００９】
又、底盤部に鉄筋を組み上げ、そこに型枠を設けてコンクリートを打設し、コンクリートの硬化後に型枠を外して完成となる、従来の建物基礎施工方法を変更することのない取り付けが可能となる。
【００１０】
又、本体部に設けた引掛部によって、取り付けの際に金具が落下する恐れが少なくなり、作業効率の低下を防ぐことが可能となる。
【図面の簡単な説明】
【００１１】
【図１】図１は本発明の実施例１における金具の正面図である。
【図２】図２は図１における実際に取付けた際の側面図である。
【図３】図３は本発明の実施例２における金具の正面図である。
【図４】図４は図３における実際に取付けた際の側面図である。
【発明を実施するための形態】
【００１２】
本発明では、建物基礎内の鉄筋に電気的に接続し、且つ上下左右の位置を自在に決めることのできる金具を従来の建物基礎施工方法を変更することのない取り付けを可能にした。
【実施例１】
【００１３】
建物基礎内の鉄筋１８に電気的に接続する金具であって、この金具は鉄筋１８を保持する保持部４、１４を設けた接続部３、１３と、接続部３、１３に設けた保持部４、１４の上下に設けた固定構造７、１７によって固定されると共に鉄筋１８に対する引掛部２、１２を設けた本体部１、１１と、本体部１、１１に固定されると共に内部に固定部１６を設けた筐体部５、１５とからなり、筐体部５、１５と本体部１、１１とを接続し、鉄筋１８を保持した接続部３、１３と本体部１、１１とを固定構造７、１７によって固定することにより、鉄筋１８との電気的な接続を可能とした。本体部１、１１に設けた引掛部２、１２を鉄筋１８に掛け、型枠１９に設けられた金具取付穴２０にボルトを通して、筐体部５、１５に設けた固体部１６に固定し、型枠１９の金具取付穴２０に合わせて本体部１、１１の位置を決めた後に接続部３、１３の保持部４、１４を鉄筋１８に合わせて本体部１、１１に重ね、固定構造７、１７によって固定する。この固定構造７、１７は接続部３、１３に設けたネジ穴と本体部１、１１に設けた長穴とをボルトとナット等を用いて締めることで固定する。これにより、鉄筋１８と型枠１９に設けた金具取付穴２０の位置関係に影響を受けずに取付けることが可能となる。又、従来の施工方法を変更することなく取付けることが可能となる。又、引掛部２、１２によって型枠１９内に金具が落下する恐れを少なくし、作業効率の低下を防ぐことが可能となる。
【実施例２】
【００１４】
建物基礎内の鉄筋３８に電気的に接続する金具であって、この金具は鉄筋３８を保持する保持部２４、３４を設けた接続部２３、３３と、接続部２３、３３と同一の板材に折曲して構成され、端部を固定構造２７、３７によって固定されると共に鉄筋３８に対する引掛部２２、３２を設けた本体部２１、３１と、本体部２１、３１に固定されると共に内部に固定部３６を設けた筐体部２５、３５とからなり、筐体部２５、３５と本体部２１、３１とを接続し、鉄筋３８を保持した接続部２３、３３と本体部２１、３１とを固定構造２７、３７によって固定することにより、鉄筋３８との電気的な接続を可能とした。本体部２１、３１に設けた引掛部２２、３２を鉄筋３８に掛け、型枠３９に設けられた金具取付穴４０にボルトを通して、筐体部２５、３５に設けた固体部３６に固定し、型枠３９の金具取付穴４０に合わせて本体部２１、３１の位置を決めた後に接続部２３、３３の保持部２４、３４を鉄筋３８に合わせて本体部２１、３１に重ね、固定構造２７、３７によって固定する。この固定構造２７、３７は接続部２３、３３に設けたネジ穴と本体部２１、３１に設けた長穴とをボルトとナット等を用いて締めることで固定する。これにより、鉄筋３８と型枠３９に設けた金具取付穴４０の位置関係に影響を受けずに取付けることが可能となる。又、従来の施工方法を変更することなく取付けることが可能となる。又、引掛部２２、３２によって型枠３９内に金具が落下する恐れを少なくし、作業効率の低下を防ぐことが可能となる。
【産業上の利用可能性】
【００１５】
本体部の位置を決めてから電気接続部を固定するため、使用する現場の鉄筋の組み方に合わせた上下位置の調整が可能であり、従来の施工方法を変更することなく取付けることが可能となる。
【符号の説明】
【００１６】
１、１１、２１、３１    本体部
２、１２、２２、３２    引掛部
３、１３、２３、３３    接続部
４、１４、２４、３４    保持部
５、１５、２５、３５    筐体部
１６、３６    固定部
７、１７、２７、３７    固定構造
１８、３８    鉄筋
１９、３９    型枠
２０、４０    金具取付穴
【図１】
2010236257.tif 000003
【図２】
2010236257.tif 000004
【図３】
2010236257.tif 000005
【図４】
2010236257.tif 000006